(57)【要約】【課題】医療従事者の呼出しを行った患者の状態が通常であるか否かの判定をより正確に実施できるようにする。【解決手段】呼出ボタン１１は、患者が医療従事者を呼び出す場合に押下されるスイッチ１２と、それぞれがセンサ検出信号を出力する複数のセンサＡ１３及びセンサＢ１４とを有する。情報取得部１５、患者がスイッチ１２を押下して呼出しを行った場合に、センサＡ１３及びセンサＢ１４から出力されるセンサ検出信号を取得する。判断部１６は、情報取得部が取得したセンサ検出信号に基づいて、患者が行った呼出しが通常の呼出しであるか否かを判断する。通知部１７は、患者が呼出しを行った場合に、判断部１６が通常の呼出しであると判断した場合と通常の呼出しではないと判断した場合とで、異なる態様で患者が呼出しを行った旨を医療従事者に通知する。【選択図】図１
2017164350.tif 000002
【特許請求の範囲】
【請求項１】
患者が医療従事者を呼び出す場合に押下されるスイッチと、それぞれがセンサ検出信号を出力する複数のセンサとを有する呼出ボタンと、
前記患者が前記スイッチを押下して呼出しを行った場合に、前記複数のセンサから出力されるセンサ検出信号を取得する情報取得部と、
前記情報取得部が取得したセンサ検出信号に基づいて、前記患者が行った呼出しが通常の呼出しであるか否かを判断する判断部と、
前記患者が前記呼出しを行った場合に、前記判断部が通常の呼出しであると判断した場合と通常の呼出しではないと判断した場合とで、異なる態様で前記患者が呼出しを行った旨を前記医療従事者に通知する通知部とを備える異常通知装置。
【請求項２】
複数のセンサが、前記スイッチが押下される場合に該スイッチの押下圧力を検出する圧力センサ、温度を検出する温度センサ、湿度を検出する湿度センサ、及び振動を検出する振動センサの群から選択された２以上のセンサを含む請求項１に記載の異常通知装置。
【請求項３】
前記判断部は、前記複数のセンサのそれぞれについて、前記センサ検出信号からセンサ情報を抽出し、該抽出したセンサ情報の値と基準値とを比較し、該比較の結果に基づいて前記判断を行う請求項１又は２に記載の異常通知装置。
【請求項４】
前記判断部は、前記センサ情報の値と前記基準値とのずれを計算し、該計算したずれに基づいて前記判断を行う請求項３に記載の異常通知装置。
【請求項５】
前記判断部は、前記計算したずれに基づいて前記抽出されたセンサ情報に対する評価値を求め、該評価値を加算して総合評価値を計算し、該計算した総合評価値に基づいて前記判断を行う請求項４に記載の異常通知装置。
【請求項６】
前記判断部は、前記ずれの大きさと前記評価値との対応関係を定めた評価値テーブルを参照して前記評価値を求める請求項５に記載の異常通知装置。
【請求項７】
前記評価値テーブルが前記患者の病気の種類及び症状の少なくとも一方に対応して複数用意されており、
前記判断部は、前記患者の病気の種類及び症状の少なくとも一方に基づいて前記評価値を求める際に使用する評価値テーブルを決定する請求項６に記載の異常通知装置。
【請求項８】
前記判断部は、前記評価値を重み付け加算して総合評価値を計算する請求項５から７何れか１項に記載の異常通知装置。
【請求項９】
前記重み付け加算で使用される重みのセットが前記患者の病気の種類及び症状の少なくとも一方に対応して複数用意されており、
前記判断部は、前記患者の病気の種類及び症状の少なくとも一方に基づいて、前記複数の重みのセットの中から、前記重み付け加算で使用する重みのセットを決定する請求項８に記載の異常通知装置。
【請求項１０】
前記判断部は、前記総合評価値をしきい値処理して前記判断を行う請求項５から９何れか１項に記載の異常通知装置。
【請求項１１】
前記患者について、前記呼出しスイッチが押下されたときに前記複数のセンサが出力した前記センサ検出信号から抽出されたセンサ情報を記憶するデータベースと、
前記データベースに記憶されたセンサ情報に基づいて前記基準値を生成する基準生成部とを更に有する請求項３から１０何れか１項に記載の異常通知装置。
【請求項１２】
前記基準生成部は、前記判断部で前記通常の呼出しではないと判断された場合に出力されたセンサ検出信号から抽出されたセンサ情報を除外して前記基準値を生成する請求項１１に記載の異常通知装置。
【請求項１３】
前記判断部の判断結果が正しかったか否かを示す情報を入力する入力部を更に備え、
前記基準生成部は、前記判断部で前記通常の呼出しではないと判断された場合であって、前記入力部から前記判断結果が正しくなかった旨が入力された場合は、当該通常の呼出しではないと判断された呼び出しで出力されたセンサ検出信号から抽出されたセンサ情報を前記基準値の生成から除外しない請求項１２に記載の異常通知装置。
【請求項１４】
前記判断部は、前記センサ情報の値が、前記基準値を含む基準範囲の上限値と下限値との間に収まっているか否かに基づいて前記評価値を補正し、該補正された評価値を加算して前記総合評価値を計算する請求項５から１０何れか１項に記載の異常通知装置。
【請求項１５】
前記患者について、前記呼出しスイッチが押下されたときに前記複数のセンサが出力した前記センサ検出信号から抽出されたセンサ情報を記憶するデータベースと、
前記データベースに記憶されたセンサ情報に基づいて前記基準値及び前記基準範囲を生成する基準生成部とを更に有する請求項１４に記載の異常通知装置。
【請求項１６】
前記基準生成部は、前記データベースに記憶された前記センサ情報のうち、前記判断部で前記通常の呼出しではないと判断された場合に出力されたセンサ検出信号から抽出されたセンサ情報を除外して前記基準値及び基準範囲を生成する請求項１５に記載の異常通知装置。
【請求項１７】
前記判断部の判断結果が正しかったか否かを示す情報を入力する入力部を更に備え、
前記基準生成部は、前記判断部で前記通常の呼出しではないと判断された場合であって、前記入力部から前記判断結果が正しくなかった旨が入力された場合は、当該通常の呼出しではないと判断された呼び出しで出力されたセンサ検出信号から抽出されたセンサ情報を前記基準値及び前記基準範囲の生成から除外しない請求項１６に記載の異常通知装置。
【請求項１８】
前記通知部は、前記判断部が通常の呼出しではないと判断した場合は、前記医療従事者に対して緊急である旨を通知する請求項１から１７何れか１項に記載の異常通知装置。
【請求項１９】
患者が、呼出し用のスイッチと複数のセンサとを有する呼出ボタンの前記スイッチを押下して医療従事者の呼出しを行った場合に、前記呼出ボタンが有する前記複数のセンサから出力されるセンサ検出信号を取得する情報取得部と、
前記情報取得部が取得したセンサ検出信号に基づいて、前記患者が行った呼出しが通常の呼出しであるか否かを判断する判断部とを備える緊急度判定装置。
【請求項２０】
患者が医療従事者を呼び出す場合に押下されるスイッチと、それぞれがセンサ検出信号を出力する複数のセンサとを有する呼出ボタンが操作され、前記患者が前記スイッチを押下して呼出しを行うと、前記複数のセンサから出力されるセンサ検出信号を取得するステップと、
前記取得されたセンサ検出信号に基づいて、前記患者が行った呼出しが通常の呼出しであるか否かを判断するステップと、
前記通常の呼出しであると判断された場合と通常の呼出しではないと判断された場合とで、前記患者が呼出しを行った旨を異なる態様で前記医療従事者に通知するステップとを有する通報方法。
【請求項２１】
コンピュータに、
患者が医療従事者を呼び出す場合に押下されるスイッチと、それぞれがセンサ検出信号を出力する複数のセンサとを有する呼出ボタンが操作され、前記患者が前記スイッチを押下して呼出しを行うと、前記複数のセンサから出力されるセンサ検出信号を取得するステップと、
前記取得されたセンサ検出信号に基づいて、前記患者が行った呼出しが通常の呼出しであるか否かを判断するステップとを実行させるためにプログラム。
【発明の詳細な説明】
【技術分野】
【０００１】
本発明は異常通知装置に関し、更に詳しくは、患者が呼出ボタンを操作して医療従事者を呼び出す異常通知装置に関する。また、本発明は、そのような異常通知装置における緊急度判定装置及び通報方法に関する。
【背景技術】
【０００２】
病院又は介護施設などにおいて、患者（入所者）が看護師などの医療従事者を呼び出す際に使用されるナースコール装置（システム）が知られている。ナースコール装置は、一般に、複数のナースコール子機と、１つのナースコール親機とを有する。ナースコール子機は、例えば患者の一人ひとりに対応して配置される。ナースコール親機は、例えばナースセンタ（ナースステーション）に配置される。患者は、ナースコール子機に設けられ、或いはナースコール子機に接続された呼出ボタンを操作することで、医療従事者を呼び出すことができる。
【０００３】
ナースコールシステムに関して、特許文献１は、患者の様態の変化を遅滞なく報知できるナースコールシステムを開示している。特許文献１に記載のナースコールシステムは、ナースステーションに設置されるナースコール親機と、病室に設置されるバイタル情報計測装置とを有する。バイタル情報計測装置は、患者のバイタル値を計測し、計測したバイタル値をナースコール親機へ送信する。ナースコール親機は、バイタル情報計測装置から受信したバイタル値とあらかじめ設定されたしきい値とを比較することで、バイタル値の異常を検出する。ナースコール親機は、バイタル値の異常を検出すると、その旨の報知メッセージを出力し、医療従事者に患者の様態の変化を報知する。
【０００４】
また、特許文献２は、患者が実施した呼出しを緊急度に応じて報知するナースコールシステムを開示する。特許文献２に記載のナースコールシステムにおいて、ナースコール子機は、患者が呼出ボタンを押下したときにその押下の圧力を検出する圧力センサを有する。ナースコール親機（その制御機）は、呼出ボタンが押下されたときの圧力がしきい値範囲の上限値よりも高いか、又は下限値よりも低いときは、患者が実施した呼出しを緊急状態で報知する。ナースコール親機は、呼出ボタンが押下されたときの圧力がしきい値範囲の上限値と下限値との間に収まっていれば、患者が実施した呼出しを通常の状態で報知する。
【先行技術文献】
【特許文献】
【０００５】
【特許文献１】特開２００５−２３７６６７号公報
【特許文献２】特開２０１３−２５８５０８号公報
【発明の概要】
【発明が解決しようとする課題】
【０００６】
特許文献１では、バイタル値の異常が検出されると医療従事者への報知が実施されるため、医療従事者は、ナースステーションにおいて患者の様態の変化を認識することができる。しかしながら、特許文献１では、バイタル値を取得するために、患者はバイタル情報計測装置を装着する必要があった。特許文献１では、患者がバイタル情報計測装置の装着を拒否することも考えられ、その場合、バイタル値に基づいて報知メッセージを出力することはできない。また、患者がバイタル情報計測装置を装着していても、装着中にバイタル情報計測装置が外れ、或いは患者が自身でバイタル情報計測装置を外すといったことが起こる場合もある。さらに、特にバイタル情報計測装置がケーブルなどに接続されたものである場合などにおいては、患者の動きが阻害される問題も生じる。
【０００７】
ナースコールシステムにおいて、ナースコール親機（その制御機）が、病室などに設置されたカメラなどを用いて撮影された映像から異常を検出して、異常の検出時に報知を行うシステムも考えられる。しかしながら、病室内を常時カメラで撮影することは、プライバシーの侵害の問題を生じる。また、患者は、常時監視されているように感じ、拒否感が強い。さらには、カメラの設置場所がない場合もあり、そのようなナースコールシステムの実現にはハードルが高いのが現実であった。
【０００８】
特許文献２では、呼出ボタンが押下されるときの強度が圧力センサを用いて計測され、ナースコール親機は、患者がどれだけの強さで呼出ボタンを押下したのかに基づいて、通常状態の報知を実施するか、或いは緊急状態の報知を実施するかを決定する。このようにすることで、医療従事者は、患者が呼出しを実施したとき、患者がいつもと違う状態であるのか否かを、呼出しがあったことが報知された段階で知ることができる。
【０００９】
しかしながら、特許文献２では、圧力センサの情報しか用いられていないため、ナースコール親機は、呼出ボタンが強く押されたか、或いは弱く押されたかしか判断することができない。患者の異常は、必ずしも呼出ボタンを押下する強さにのみ現れるとは限られず、従って、特許文献２において異常と判断できる状況は限定的である。多種多様な患者の病気の種類や症状がある状況において、より正確に患者が異常状態であるか否かの判定が可能であることが望まれる。
【００１０】
本発明は、上記事情に鑑み、呼出ボタンを押下して医療従事者の呼出しが行われる場合に、呼出しを行った患者の状態が通常であるか否かの判定をより正確に実施できる異常通知装置、緊急度判定装置、通報方法、及びプログラムを提供することを目的とする。
【課題を解決するための手段】
【００１１】
上記目的を達成するために、本発明は、患者が医療従事者を呼び出す場合に押下されるスイッチと、それぞれがセンサ検出信号を出力する複数のセンサとを有する呼出ボタンと、前記患者が前記スイッチを押下して呼出しを行った場合に、前記複数のセンサから出力されるセンサ検出信号を取得する情報取得部と、前記情報取得部が取得したセンサ検出信号に基づいて、前記患者が行った呼出しが通常の呼出しであるか否かを判断する判断部と、前記患者が前記呼出しを行った場合に、前記判断部が通常の呼出しであると判断した場合と通常の呼出しではないと判断した場合とで、異なる態様で前記患者が呼出しを行った旨を前記医療従事者に通知する通知部とを備える異常通知装置を提供する。
【００１２】
本発明は、また、患者が、呼出し用のスイッチと複数のセンサとを有する呼出ボタンの前記スイッチを押下して医療従事者の呼出しを行った場合に、前記呼出ボタンが有する前記複数のセンサから出力されるセンサ検出信号を取得する情報取得部と、前記情報取得部が取得したセンサ検出信号に基づいて、前記患者が行った呼出しが通常の呼出しであるか否かを判断する判断部とを備える緊急度判定装置を提供する。
【００１３】
本発明は、患者が医療従事者を呼び出す場合に押下されるスイッチと、それぞれがセンサ検出信号を出力する複数のセンサとを有する呼出ボタンが操作され、前記患者が前記スイッチを押下して呼出しを行うと、前記複数のセンサから出力されるセンサ検出信号を取得するステップと、前記取得されたセンサ検出信号に基づいて、前記患者が行った呼出しが通常の呼出しであるか否かを判断するステップと、前記通常の呼出しであると判断された場合と通常の呼出しではないと判断された場合とで、前記患者が呼出しを行った旨を異なる態様で前記医療従事者に通知するステップとを有する通報方法を提供する。
【００１４】
本発明は、コンピュータに、患者が医療従事者を呼び出す場合に押下されるスイッチと、それぞれがセンサ検出信号を出力する複数のセンサとを有する呼出ボタンが操作され、前記患者が前記スイッチを押下して呼出しを行うと、前記複数のセンサから出力されるセンサ検出信号を取得するステップと、前記取得されたセンサ検出信号に基づいて、前記患者が行った呼出しが通常の呼出しであるか否かを判断するステップとを実行させるためにプログラムを提供する。
【発明の効果】
【００１５】
本発明の異常通知装置、緊急度判定装置、通報方法、及びプログラムは、呼出ボタンを押下して医療従事者の呼出しが行われる場合に、呼出しを行った患者の状態が通常であるか否かの判定をより正確に実施することが可能である。
【図面の簡単な説明】
【００１６】
【図１】本発明の異常通知装置を示すブロック図。
【図２】本発明の第１実施形態に係る異常通知装置を含むナースコールシステムを示すブロック図。
【図３】呼出ボタンを示すブロック図。
【図４】ナースコール制御機を示すブロック図。
【図５】基準値生成の動作手順を示すフローチャート。
【図６】ナースコールシステムの運用時の動作手順を示すフローチャート。
【図７】センサ情報ＤＢに記憶されるセンサ情報の一例を示す図。
【図８】基準値とのずれ及びセンサ情報ごとの評価値を示す図。
【図９】評価テーブルの一例を示す図。
【図１０】本発明の第２実施形態においてセンサ情報ＤＢに記憶されるセンサ情報の一例を示す図。
【図１１】基準値とのずれ、センサ情報ごとの評価値、及び評価値の補正を示す図。
【図１２】本発明の第３実施形態に係る異常通知装置で用いられるナースコール制御機を示すブロック図。
【図１３】本発明の第４実施形態に係る異常通知装置で用いられるナースコール制御機を示すブロック図。
【発明を実施するための形態】
【００１７】
本発明の実施の形態の説明に先立って、本発明の概要を説明する。図１は、本発明の異常通知装置を示す。本発明の異常通知装置１０は、呼出ボタン１１、情報取得部１５、判断部１６、及び通知部１７を有する。呼出ボタン１１は、スイッチ１２と、センサＡ１３と、センサＢ１４とを有する。情報取得部１５及び判断部１６は、本発明の緊急度判定装置を構成する。緊急度判定装置は、異常通知装置の一部であってもよいし、異常通知装置の外部にあってもよい。
【００１８】
異常通知装置１０は、例えば病院などの医療機関において、患者が看護師などの医療従事者を呼び出す場合に使用される。スイッチ１２は、患者が医療従事者を呼び出す場合に押下される。センサＡ１３及びセンサＢ１４は、呼出ボタン１１に設けられた複数のセンサであり、それぞれがセンサ検出信号を出力する。センサＡ１３とセンサＢ１４とは、検出対象が相互に異なる。なお、図１では、呼出ボタン１１が２つのセンサを有する例を示しているが、呼出ボタン１１が有するセンサの数は複数であればよく、２つには限定されない。
【００１９】
情報取得部１５は、患者がスイッチ１２を押下して呼出しを行った場合に、センサＡ１３及びセンサＢ１４からそれぞれ出力されるセンサ検出信号を取得する。判断部１６は、情報取得部が取得したセンサ検出信号に基づいて、患者が行った呼出しが通常の呼出しであるか否かを判断する。通知部１７は、患者が呼出しを行った場合に、その旨を医療従事者に通知する。通知部１７は、判断部１６が通常の呼出しであると判断した場合と通常の呼出しではないと判断した場合とで、異なる態様で通知を実施する。
【００２０】
本発明の異常通知装置では、情報取得部１５は、患者が呼出ボタン１１のスイッチ１２を押下すると、センサＡ１３及びセンサＢ１４からそれぞれセンサ検出信号を取得する。判断部１６は、情報取得部１５が取得したセンサ検出信号に基づいて、患者の呼出しが通常通りであるか、或いは通常とは異なるかを判断する。本発明では、この判断に、複数のセンサの検出信号を用いている。このため、圧力センサが出力する圧力検出信号のみが用いられる特許文献２に比べて、より正確に、ユーザ状態が通常であるか否かを判断することができる。
【００２１】
以下、図面を参照し、本発明の実施の形態を詳細に説明する。図２は、本発明の第１実施形態に係る異常通知装置を含むナースコールシステムを示す。ナースコールシステム１００は、ナースコール子機１０１、呼出ボタン１０２、ナースコール制御機１０３、構内交換機１０４、無線通信装置１０５、及びナースコール親機１０７を備える。ナースコール子機１０１、呼出ボタン１０２、及びナースコール制御機１０３は、異常通知装置を構成する。この構成例では、患者が医療従事者を呼び出した旨は、ナースコール受信用のナースコール親機１０７又は構内無線端末１０６に報知される。ナースコールシステム１００において、ナースコール子機１０１、ナースコール制御機１０３、構内交換機１０４、無線通信装置１０５、及びナースコール親機１０７は、ネットワークを介して相互に接続されている。
【００２２】
ナースコール子機１０１は、例えば患者が使用するベッドに対応して配置される。ナースコール子機１０１には、呼出ボタン１０２が接続される。呼出ボタン１０２は、例えば握り押しボタンとして構成される。呼出ボタン１０２は、図１の呼出ボタン１１に対応する。呼出ボタン１０２は、ナースコール子機１０１の一部であってもよい。ナースコール子機１０１は、例えば医療従事者と患者との間で通話を可能とするためのスピーカとマイクとを含んでいることが好ましい。ナースコール子機１０１は、ネットワーク（通信回線）を介してナースコール制御機１０３に接続される。通信回線の種類は特に問わないが、通信の信頼性の観点からは有線回線であることが好ましい。
【００２３】
ナースコール制御機１０３は、ナースコール子機１０１から、患者から呼出し（ナースコール）があった旨を示す信号を受信する。構内交換機１０４は、ナースコール制御機１０３との間を接続するナースコール制御機インタフェースと、ナースコール親機１０７との間を接続するナースコール親機インタフェースと、複数の無線通信装置１０５との間を接続する無線通信装置インタフェースとを含む。ナースコール親機１０７は、例えばナースステーションなどに配置される。ナースコール親機１０７は、例えば各種情報の表示が可能な表示部とスピーカとマイクとを含んでいる。
【００２４】
各無線通信装置１０５は、例えば病院などの建物の中に配置される。各無線通信装置１０５は、その無線通信エリア内に存在する構内無線端末１０６との間で通信を行う。無線通信装置１０５は、例えば無線ＬＡＮ（local area network）アクセスポイント装置として構成される。その場合、構内無線端末１０６は、例えば無線ＬＡＮクライアント端末として機能するスマートフォンなどの通信端末装置として構成される。無線通信装置１０５は、構内ＰＨＳ（personal handy-phone system）基地局などの無線基地局として構成されていてもよい。その場合、構内無線端末１０６は、例えばＰＨＳ端末などの通信装置として構成される。構内無線端末１０６は、例えば各種情報の表示が可能な表示部とスピーカとマイクとを有する。
【００２５】
ナースコール制御機１０３は、患者から呼出しがあった場合、その旨を構内交換機１０４に通知する。構内交換機１０４は、患者から呼出しがあった場合、ナースコール親機１０７を呼出す。これに代えて、又は加えて、構内交換機１０４は、無線通信装置１０５を通じて構内無線端末１０６を呼び出す。構内交換機１０４は、呼出しを行った患者と特定の位置関係にある無線通信装置１０５の配下に存在する構内無線端末１０６を呼び出してもよし、全ての構内無線端末１０６を呼び出してもよい。ナースコール親機１０７又は何れかの構内無線端末１０６が呼出しに対して応答すると、構内交換機１０４は、応答したナースコール親機１０７又は構内無線端末１０６とナースコール子機１０１との間の通話を可能とする。
【００２６】
図３は、呼出ボタン１０２を示す。呼出ボタン１０２は、スイッチ１２１、圧力センサ１２２、振動センサ１２３、温度センサ１２４、及び湿度センサ１２５を有する。スイッチ１２１は、患者が医療従事者を呼び出す場合に押下されるスイッチである。スイッチ１２１は、例えば握り押しボタンとして構成される呼出ボタン１０２の頭頂部に設けられる。これに加えて、又は代えて、呼出ボタン１０２の側面にスイッチ１２１が設けられていてもよい。スイッチ１２１は、例えば患者が押下すると接点を閉じる。スイッチ１２１は、図１のスイッチ１２に対応する。
【００２７】
圧力センサ１２２は、スイッチ１２１が押下される場合の押下圧力を検出する。圧力センサ１２２は、例えばスイッチ１２１の患者が押下する部分に配置され、押下圧力に応じた検出信号を出力する。振動センサ１２３は、呼出ボタン１０２の振動を検出する。振動センサ１２３は、例えば呼出ボタン１０２のハウジングの内部に配置され、検出した振動の振幅及び周期に応じた検出信号を出力する。
【００２８】
温度センサ１２４は、温度を検出する。温度センサ１２４は、例えば握り押しボタンとして構成される呼出ボタン１０２の患者の手で握られる部分に配置される。温度センサ１２４は、例えば患者の手のひら或いは指の温度に応じた検出信号を出力する。湿度センサ１２５は、湿度を検出する。湿度センサ１２５も、例えば呼出ボタン１０２の患者の手で握られる部分に配置される。湿度センサ１２５は、例えば患者の手のひら或いは指の水分量に応じた検出信号を出力する。
【００２９】
なお、呼出ボタン１０２はセンサを複数有していればよく、センサの種類及び数は図３示したものには限定されない。例えば、呼出ボタン１０２は、圧力センサ１２２、振動センサ１２３、温度センサ１２４、及び湿度センサ１２５を全て有している必要はなく、それらの群の中から選択された２以上のセンサを有していればよい。また、呼出ボタン１０２は、それらセンサとは異なる種類のセンサを有していてもよい。
【００３０】
図４は、ナースコール制御機１０３を示す。ナースコール制御機１０３は、判定装置１３０と通知部１４０とを有する。判定装置１３０は、検出信号取得部１３１、データ更新部１３２、センサ情報ＤＢ（Data Base）１３３、基準生成部１３４、判断部１３５、及び入力部１４１を有する。判定装置（緊急度判定装置）１３０は、例えばコンピュータなどを用いて構成される。判定装置１３０内の少なくとも一部の機能は、コンピュータが所定のプログラムに従って動作することで実現されてもよい。なお、判定装置１３０は、必ずしもナースコール制御機１０３の一部を構成している必要はない。判定装置１３０は、ナースコール制御機１０３とは別の装置として配置されていてもよい。
【００３１】
検出信号取得部１３１は、患者が呼出ボタン１０２のスイッチ１２１（図３を参照）を押下して呼出しを行った場合に、呼出ボタン１０２が有する複数のセンサから出力されるセンサ検出信号を取得する。検出信号取得部１３１は、患者が呼出ボタン１０２のスイッチ１２１（図３を参照）を押下して呼出しを行った場合に、呼出ボタン１０２が有する複数のセンサから出力されるセンサ検出信号を取得する。検出信号取得部１３１は、例えば呼出ボタン１０２のスイッチ１２１が押下されたことを検出すると、圧力センサ１２２、振動センサ１２３、温度センサ１２４、及び湿度センサ１２５からそれぞれ検出信号を取得する。検出信号取得部１３１は、図１の情報取得部１５に対応する。
【００３２】
判断部１３５は、検出信号取得部１３１が取得した各センサの検出信号に基づいて、患者が行った呼出しが通常の呼出しであるか否かを判断する。本実施形態では、判断部１３５は、比較部１３６、評価値計算部１３７、加算部１３８、及び判定部１３９を有する。判断部１３５は、図１の判断部１６に対応する。
【００３３】
比較部１３６は、呼出ボタン１０２が有する複数のセンサのそれぞれについて、各センサの検出信号からセンサ情報を抽出する。１つのセンサの検出信号から抽出されるセンサ情報は１つには限定されない。比較部１３６は、１つのセンサの検出信号から複数のセンサ情報を抽出してもよい。比較部１３６においてセンサ情報の抽出を行うのに代えて、検出信号取得部１３１においてセンサ情報の検出を行ってもよい。
【００３４】
比較部１３６は、抽出したセンサ情報の値と基準値とを比較する。「基準値」は、患者が実施した呼出しが通常の呼出しであるか否かを判断する際の基準となる値である。例えば、抽出されたセンサ情報の値が基準値と等しい場合、患者が実施した呼出しは通常の呼出しである可能性が高い。逆に、抽出されたセンサ情報の値が基準値とは大きく異なる場合、患者が実施した呼出しは通常の呼出しではない可能性が高い。判断部１３５は、比較結果として、例えばセンサ情報の値と基準値とのずれの大きさを計算する。センサ情報の値と基準値とのずれの大きさは、例えば、基準値に対するセンサ情報の値と基準値との差分の大きさの比率で表される。比較部１３６は、抽出したセンサ情報のそれぞれについて、センサ情報の値と基準値とのずれの大きさを計算する。
【００３５】
評価値計算部１３７は、比較部１３６から基準値との比較結果を受け取り、それに基づいて評価値を求める。評価値計算部１３７は、例えば比較部１３６から基準値とのずれの大きさを入力し、その基準値とのずれの大きさを評価値に変換することで、評価値を計算する。評価値計算部１３７は、例えば基準値のずれと評価値の大きさとの対応関係を定めた評価テーブル（ルックアップテーブル）を用いることで、基準値とのずれを評価値に変換する。評価値計算部１３７は、比較部１３６において抽出されたセンサ情報のそれぞれについて、評価値を求める。
【００３６】
加算部１３８は、評価値計算部１３７が求めた評価値を加算して総合評価値を計算する。加算部１３８は、例えばセンサ情報のそれぞれに対して求められた評価値の総和を総合評価値として計算する。加算部１３８は、センサ情報のそれぞれに対して求められた評価値に、センサ情報に応じた所定の重み係数を乗じて、評価値を重み付け加算してもよい。
【００３７】
判定部１３９は、加算部１３８が計算した総合評価値に基づいて、患者が実施した呼出しが通常の呼出しである否かを判定する。判定部１３９は、例えば総合評価値をしきい値処理して、通常の呼出しであるか否かを判定する。例えば、評価値が通常の呼出しとは異なる度合いを表し、評価値が大きいほど通常時と異なる状態を示す場合、判定部１３９は、総合評価値がしきい値以上の場合に通常の呼出しではないと判定する。逆に評価値が通常の呼出しである旨を示す度合いを表し、評価値が大きいほど通常の状態であることを示す場合、判定部１３９は、総合評価値がしきい値以上の場合に通常の呼出しであると判定すればよい。
【００３８】
通知部１４０は、判断部１３５（判定部１３９）から判定結果を入力する。通知部１４０は、患者が医療従事者の呼出しを行った場合に、その旨を医療従事者に通知する。通知部１４０が行う通知は、例えば構内交換機１０４を経てナースコール親機１０７で受信される。あるいは、通知部１４０が行う通知は、図２の構内交換機１０４及び無線通信装置１０５を経て、構内無線端末１０６で受信される。
【００３９】
通知部１４０は、判断部１３５が通常の呼出しであると判断した場合と通常の呼出しではないと判断した場合とで、異なる態様で患者が呼出しを行った旨を医療従事者に通知する。通知部１４０は、例えば、通常の呼出しと通常の呼出しではないときとで、ナースコール親機１０７及び構内無線端末１０６における着信音、表示メッセージ、及び着信を知らせるライトの色の少なくとも１つを変化させる。このようにすることで、医療従事者は、患者の呼出しが、通常どおりのものであるか、通常とは異なる状態でなされたものであるかを、呼出しの段階で知ることができる。
【００４０】
通知部１４０は、判断部１３５が通常の呼出しではないと判断した場合は、医療従事者に対して緊急である旨を通知することが好ましい。その場合、呼び出された医療従事者は、いつもとは違う状態で呼出ボタン１０２が扱われたとして、緊張感を持って患者の呼出しに応じることができる。
【００４１】
センサ情報ＤＢ１３３は、各患者について、呼出ボタン１０２が有する複数のセンサの検出信号から抽出されたセンサ情報（その値）を記憶するデータベースである。データ更新部１３２は、センサ情報ＤＢ１３３の更新を行う。データ更新部１３２は、例えば検出信号取得部１３１が呼出ボタン１０２のセンサから検出信号を取得すると、検出信号取得部１３１が取得した検出信号からセンサ情報を抽出する。データ更新部１３２は、抽出したセンサ情報の値をセンサ情報ＤＢ１３３に追記することで、センサ情報ＤＢ１３３を更新する。
【００４２】
基準生成部１３４は、センサ情報ＤＢ１３３に記憶されたセンサ情報の値に基づいて、判断部１３５において患者が実施した呼出しが通常の呼出しであるか否かの判断に用いられる基準値を生成する。基準生成部１３４は、例えば患者ごとに基準値を生成する。基準生成部１３４は、例えばある患者について、センサ情報ＤＢ１３３に記憶されているその患者のセンサ情報の平均値を求め、求めた平均値を基準値とする。基準生成部１３４は、平均値に代えて、他の統計値、例えば最頻値又は中央値を基準値としてもよい。
【００４３】
患者は、例えば入院直後、呼出ボタン１０２のスイッチ１２１を押下する練習を複数回実施する。データ更新部１３２は、練習でスイッチ１２１が押下されたときに呼出ボタン１０２の各種センサが出力する検出信号からセンサ情報を抽出し、抽出したセンサ情報をセンサ情報ＤＢ１３３に記憶する。センサ情報ＤＢ１３３に、基準値の生成に十分な数のセンサ情報が記憶されると、練習は修了し、基準生成部１３４がその患者に対する基準値を生成する。
【００４４】
データ更新部１３２は、ナースコールシステム１００が実際に使用されている間も、呼出ボタン１０２のスイッチ１２１が押されるたびに、センサ情報ＤＢ１３３を更新してもよい。そのようにすることで、使用中にセンサ情報を蓄積していくことができ、センサ情報に基づいて生成される基準値の信頼性を向上することができる。
【００４５】
使用中にセンサ情報ＤＢ１３３の更新を行う場合、基準生成部１３４は、判定部１３９で通常の呼出しではないと判定された場合に出力されたセンサ検出信号から抽出されたセンサ情報を除外して基準値を生成するとよい。例えば、データ更新部１３２は、センサ情報ＤＢ１３３に記憶するセンサ情報に、判定部１３９にて通常の呼出しではないと判定されたときのものであるか否かを示す情報を付加する。基準生成部１３４は、データ更新部１３２から、判定部１３９にて通常の呼出しではないと判断されていないときのセンサ情報を読み出して基準値を生成してもよい。
【００４６】
あるいは、データ更新部１３２は、判定部１３９にて通常の呼出しであると判定されたときにセンサ情報ＤＢ１３３を更新し、判定部１３９にて通常の呼出しではないと判断された場合はセンサ情報ＤＢ１３３の更新を行わないこととしてもよい。その場合、センサ情報ＤＢ１３３には、判定部１３９にて通常の呼出しではないと判定されたときのセンサ情報が記憶されない。このため、基準生成部１３４は、判定部１３９で通常の呼出しではないと判断された場合に出力されたセンサ検出信号から抽出されたセンサ情報を除外して基準値を生成することになる。
【００４７】
ここで、判定部１３９において通常の呼出しではないと判定された場合であっても、実際に医療従事者が患者のところへ行ってみたところ、患者に特別変わった様子がないこともある。つまり、判定部１３９における判定結果は実際には正しくなかったということも起こりうる。医療従事者は、入力部１４１を用いて、事後的に、判定部１３９の判定結果が正しかったか否かを示す情報を入力することができる。
【００４８】
上記したように基準生成部１３４は、判定部１３９で通常の呼出しではないと判定された場合に出力されたセンサ検出信号から抽出されたセンサ情報を除外して基準値を生成してもよい。しかしながら、その場合でも、入力部１４１を用いて判定部１３９の判定結果が正しくなかった旨が入力された場合は、基準生成部１３４は、誤って通常の呼出しではないと判断された呼出しで出力されたセンサ検出信号から抽出されたセンサ情報を基準値の生成から除外しないことが好ましい。
【００４９】
続いて、動作手順を説明する。図５は、基準値生成の動作手順を示す。基準値の生成は、例えば患者が入院した直後、本格的にナースコールシステム１００の運用が開始される前に実施される。患者は、呼出ボタン１０２を握るなどし、スイッチ１２１（図３を参照）を押下する（ステップＡ１）。検出信号取得部１３１（図４を参照）は、呼出ボタン１０２に含まれるセンサから検出信号を取得する（ステップＡ２）。検出信号取得部１３１は、ステップＡ２では、圧力センサ１２２、振動センサ１２３、温度センサ１２４、及び湿度センサ１２５のそれぞれから検出信号を取得する。
【００５０】
データ更新部１３２は、ステップＡ２で取得された各種のセンサの検出信号からセンサ情報を抽出し、抽出したセンサ情報を患者の識別子と対応付けてセンサ情報ＤＢ１３３に記憶する（ステップＡ３）。データ更新部１３２は、ステップＡ３では、例えば圧力センサ１２２の検出信号から、スイッチ１２１の押下圧力をセンサ情報として抽出する。また、データ更新部１３２は、振動センサ１２３の検出信号から、スイッチ１２１が押下される前後の所定期間における振動の最大振幅、及び振動数（振動周波数）をそれぞれセンサ情報として抽出する。データ更新部１３２は、温度センサ１２４の検出信号からスイッチ１２１が押下されたときの温度（体温）をセンサ情報として抽出し、湿度センサ１２５の検出信号からスイッチ１２１が押下されたときの湿度をセンサ情報として取得する。
【００５１】
データ更新部１３２は、呼出ボタン１０２のスイッチ１２１の押下が所定回数行われたか否かを判断する（ステップＡ４）。ステップＡ４でまだ所定回数に到達していないと判断されると、処理はステップＡ１に戻り、患者はスイッチ１２１を押下する。ステップＡ１からステップＡ３までの各ステップは、ステップＡ４で患者がスイッチ１２１を押下した回数が所定回数になったと判断されるまで、繰り返し実施される。ステップＡ３が繰り返し実施されることで、センサ情報ＤＢ１３３にはセンサ情報が蓄積されていく。
【００５２】
ステップＡ４で所定回数に到達したと判断されると、基準生成部１３４は、センサ情報ＤＢ１３３を参照し、基準値を生成する（ステップＡ５）。基準生成部１３４は、ステップＡ５では、例えばセンサ情報ごとに、所定回数分のセンサ情報の平均値を計算する。平均値の計算では、所定回数分のセンサ情報の全てが用いられる必要はない。基準生成部１３４は、例えばセンサ情報の最大値と最小値を平均値の計算から除外し、残りのセンサ情報の平均値を計算してもよい。以上の処理は患者ごとに実施され、基準生成部１３４は患者ごとに基準値を生成する。
【００５３】
図６は、ナースコールシステム１００の運用時の動作手順を示す。患者は、医療従事者を呼び出す必要が生じたときに、例えば呼出ボタン１０２を握った状態で呼出ボタン１０２のスイッチ１２１（図３を参照）を押下する（ステップＢ１）。検出信号取得部１３１（図４を参照）は、呼出ボタン１０２に含まれるセンサから検出信号を取得する（ステップＢ２）。検出信号取得部１３１は、ステップＢ２では、圧力センサ１２２、振動センサ１２３、温度センサ１２４、及び湿度センサ１２５のそれぞれから検出信号を取得する。
【００５４】
比較部１３６は、ステップＢ２で取得された各種のセンサの検出信号からセンサ情報を抽出する。また、比較部１３６は、基準生成部１３４から、呼出しを行った患者に対して生成された基準値を取得する。比較部１３６は、各種センサの検出信号から抽出したセンサ情報と、基準生成部１３４から取得した基準値とを比較する（ステップＢ３）。比較部１３６は、ステップＢ３では、抽出したセンサ情報のそれぞれについて基準値との比較を行う。比較部１３６は、ステップＢ３では、例えば、抽出したセンサ情報が基準値からどの程度ずれているかを計算する。具体的には、比較部１３６は、センサ情報の値と基準値との差分を基準値で割った値を、基準値とのずれを表す指標として計算する。
【００５５】
評価値計算部１３７は、ステップＢ３で実施された比較の結果に基づいて評価値を求める（ステップＢ４）。評価値計算部１３７は、ステップＢ４では、例えば評価テーブルを参照して、基準値とのずれの大きさを評価値に変換する。ここでは、評価値は、通常の呼出しとは異なる度合いを表し、評価値が大きいほど通常時と異なる状態を示すものとする。評価テーブルは、全てのセンサ情報に共通であってもよいし、センサ情報ごとに用意されていてもよい。加算部１３８は、ステップＢ４で求められた評価値を加算して総合評価値を計算する（ステップＢ５）。
【００５６】
判定部１３９は、ステップＢ５で計算された総合評価値に基づいて、患者が実施した呼出しの緊急度を判定し（ステップＢ７）、判定結果を通知部１４０に伝達する。判定部１３９は、ステップＢ７では、例えば総合評価値がしきい値以上である否かを判断する。判定部１３９は、総合評価値がしきい値未満である場合は通常の呼出しであり、緊急度は低いと判定する。その場合、通知部１４０は、例えば医療従事者が所持する構内無線端末１０６（図２を参照）に患者が呼出しを行った旨、及びその呼出しは通常のものである旨を通知する（ステップＢ８）。データ更新部１３２は、ステップＢ７で緊急度が低いと判定された場合は、センサ情報ＤＢ１３３に、今回の呼出しで得られたセンサ情報を追記する（ステップＢ１１）。
【００５７】
判定部１３９は、総合評価値がしきい値以上である場合は通常の呼出しとは異なり、緊急度が高いと判断する。その場合、通知部１４０は、例えば医療従事者が所持する構内無線端末１０６に患者が呼出しを行った旨、及びその呼出しは緊急である旨を通知する（ステップＢ９）。医療従事者は、患者が通常とは異なる状態で呼出しを行ったことを認識した上で、患者の呼出しに対して応答できる。
【００５８】
医療従事者は、患者対応が終わった後で、緊急の呼出しと判断された患者が、実際に緊急を要する状態で呼出しを行ったか否かを示す情報を、入力部１４１を用いて入力する。データ更新部１３２は、医療従事者が入力した情報が、実際に緊急を要する状態であったことを示すか否かを判断する（ステップＢ１０）。データ更新部１３２は、ステップＢ１０で医療従事者が患者は実際には緊急を要する状態ではなかったことを示す情報を入力したと判断すると、ステップＢ１１へ進んで、センサ情報ＤＢ１３３に、今回の呼出しで得られたセンサ情報を追記する。医療従事者が入力した情報が患者が実際に緊急を要する状態であったことを示す場合、データ更新部１３２は、センサ情報ＤＢ１３３の更新は行わずに処理を終了する。
【００５９】
以下、具体例を用いて説明する。図７は、センサ情報ＤＢ１３３に記憶されるセンサ情報の一例を示す。ここでは、センサ情報が、体温、湿度、圧力、振動の最大振幅、及び振動数の５つを含むものとする。センサ情報ＤＢ１３３は、例えばある患者Ａについて、複数回計測された体温、湿度、圧力、振動の最大振幅、及び振動数のデータを記憶する。これらセンサ情報は、例えば図５に示す手順で取得される。センサ情報ＤＢ１３３は、患者Ａ以外の患者についても、各センサ情報のデータを複数回分記憶している。基準生成部１３４は、図７に示す各センサ情報のデータの平均値を計算し、その平均値を基準値とする。
【００６０】
図８は、基準値とのずれ及びセンサ情報ごとの評価値を示す。例えば、患者Ａについて、図６のステップＢ２で取得された各センサの検出信号から抽出されるセンサ情報が、体温３６．５℃、湿度２３％、圧力３．３ｋｇ、振動の最大振幅１ｃｍ、及び振動数７Ｈｚであったとする。比較部１３６は、これらセンサ情報の値を基準値（平均値）と比較し、基準値とのずれを計算する。比較部１３６は、例えばセンサ情報「体温」について、基準値とのずれを（３６．５−３６．４）／３６．４＝０．３％と計算する。比較部１３６は、他のセンサ情報の項目についても、同様に、平均値に対する差分の大きさの比率を、基準値とのずれとして計算する。
【００６１】
図９は、評価テーブルの一例を示す。評価テーブルは、基準値とのずれの大きさと、評価値（得点）との対応関係を定義する。評価値計算部１３７は、図９に示す評価テーブルを用いて、センサ情報ごとに、比較部１３６が計算した基準値とのずれを評価値に変換する。図８を参照すると、センサ情報「体温」について、基準値とのずれは「０．３％」である。評価値計算部１３７は、図９に示す評価テーブルを用いて、基準値とのずれ「０．３％」を評価値「０」に変換する。また、図８を参照すると、センサ情報「湿度」について、基準値とのずれは「４３％」である。評価値計算部１３７は、図９に示す評価テーブルを用いて、基準値とのずれ「４３％」を評価値「４」に変換する。評価値計算部１３７は、他のセンサ情報についても同様に、評価テーブルを用いて、基準値とのずれを評価値に変換する。
【００６２】
加算部１３８は、センサ情報ごとに求まる評価値を合計し、総合評価値を計算する。図８の例では、センサ情報「体温」の評価値は「０」、センサ情報「湿度」の評価値は「４」、センサ情報「圧力」の評価値は「４」、センサ情報「最大振幅」の評価値は「２」、センサ情報「振動数」の評価値は「２０」である。加算部１３８は、これらの総和である「３０」を総合評価値として計算する。判定部１３９は、総合評価値「３０」をしきい値処理し、患者の呼出しが通常のものであるか否かを判定する。例えば、しきい値が「２０」であったとした場合、総合評価値「３０」はしきい値を超えているため、判定部１３９は、患者が実施した呼出しが緊急度の高いものであると判定する。
【００６３】
本実施形態では、呼出ボタン１０２が複数のセンサを有しており、検出信号取得部１３１は、呼出ボタン１０２のスイッチ１２１が押下されたとき、呼出ボタン１０２の複数のセンサから検出信号を取得する。判断部１３５は、検出信号取得部１３１が取得した複数のセンサの検出信号に基づいて、患者が行った呼出が通常の呼出しであるか否かを判断する。通知部１４０は、判断部１３５が通常の呼出しであると判断した場合と通常の呼出しではないと判断した場合とで、異なる態様で患者が呼出しを行った旨を医療従事者に通知する。このようにすることで、医療従事者は、呼出しがあった段階で、患者がいつもどおりであるのか、それとも緊急状態にあるのかを判別することが可能である。
【００６４】
本実施形態では、呼出ボタン１０２に複数のセンサが配置されており、患者が呼出ボタン１０２を用いて医療従事者を呼出すときに、検出信号取得部１３１が各センサの検出信号を取得する。本実施形態では、患者が計測機器を装着する必要がないため、患者の負担が少なくて済む。また、患者の動きが、ケーブルなどで阻害されるおそれもない。センサは呼出ボタン１０２の配置されているため、ベッドの周囲などに計測機器を配置する必要もない。
【００６５】
本実施形態では、患者が実施した呼出が通常のものであるか否かを複数のセンサの検出信号に基づいて判断している。特許文献２では、圧力センサの情報しか用いられていないため、ナースコール親機（その制御機）は、呼出ボタンが強く押されたか、或いは弱く押されたかしか判断することができなかった。これに対し、本実施形態では、複数のセンサの検出信号に基づいて判断が実施されるため、多種多様な患者の病気の種類や症状がある状況において、より正確に患者が異常状態であるか否かの判定が可能である。
【００６６】
本実施形態では、データ更新部１３２は、通常の呼出し時のセンサ情報のデータをセンサ情報ＤＢ１３３に記憶する。センサ情報ＤＢ１３３が更新された場合に、基準生成部１３４は、更新後のセンサ情報ＤＢ１３３を参照して基準値を生成する。このようにした場合、判断部１３５は、システムの運用中に更新された基準値を用いて判断を行うことが可能である。また、新たなセンサ情報をセンサ情報ＤＢ１３３に記憶していくことで、基準値の生成元となるデータのデータ点数を増やすことができ、基準値の信頼性を高めることができる。
【００６７】
本実施形態では、医療従事者は、入力部１４１を用いて、判断部１３５の判断結果が正しかったか否かを示す情報を入力できる。データ更新部１３２は、判断部１３５において患者が実施した呼出しが通常の呼出しではないと判断された場合は、センサ情報ＤＢ１３３の更新を行わない。このようにした場合、基準値の生成から、通常の呼出しではないと判断されたときのセンサ情報を除外することができる。本実施形態では、データ更新部１３２は、判断部１３５において通常の呼出しではないと判断された場合でも、入力部１４１からその判断結果が誤りである旨を示す情報が入力された場合は、センサ情報ＤＢ１３３の更新を行う。判断部１３５において通常の呼出しではないと判断されたものの、実際には通常の呼出しであった場合は、そのとき取得されたセンサ情報がセンサ情報ＤＢ１３３に記憶され、基準値の生成に用いられることになる。このようにすることで、判断部１３５において誤って判断される可能性を低減させることが可能になると考えられる。
【００６８】
次いで、本発明の第２実施形態を説明する。本実施形態に係る異常通知装置を含むナースコールシステムの全体的な構成は、図２に示す第１実施形態に係るナースコールシステム１００と同様である。また、本実施形態において、呼出ボタン１０２の構成は、図３に示すものと同様な構成であり、ナースコール制御機１０３の構成は、図４に示すものと同様な構成である。本実施形態では、判断部１３５（図４を参照）は、センサ情報の値が基準値を含む基準範囲の上限値と下限値との間に収まっているか否かに基づいて評価値を補正する。また、基準生成部１３４は、基準値に加えて、センサ情報ＤＢ１３３に記憶されたセンサ情報に基づいて基準範囲を生成する。その他の点は、第１実施形態と同様でよい。
【００６９】
図１０は、本実施形態においてセンサ情報ＤＢ１３３に記憶されるセンサ情報の一例を示す。基準生成部１３４が、複数回のセンサ情報の平均値を計算し、その平均値を基準値とする点は、第１実施形態と同様である。本実施形態では、基準生成部１３４は、複数回のセンサ情報の最大値と最小値とを検出する。基準生成部１３４は、検出した最小値から最大値までの間の範囲を基準範囲として生成する。基準範囲の下限値は複数回のセンサ情報の最小値であり、上限値は複数回のセンサ情報の最大値である。基準生成部１３４は、例えば患者Ａのセンサ情報「体温」について、「３６．２」から「３６．６」までの範囲を基準範囲として生成する。
【００７０】
図１１は、基準値とのずれ、センサ情報ごとの評価値、及び評価値の補正を示す。例えば、患者Ａについて、図６のステップＢ２で取得された各センサの検出信号から抽出されるセンサ情報が、体温３６．５℃、湿度２３％、圧力３．３ｋｇ、振動の最大振幅１ｃｍ、及び振動数７Ｈｚであったとする。比較部１３６は、これらセンサ情報の値を、基準値（平均値）と比較する。各センサ情報の値と基準値とのずれの計算、及び評価値の計算は、図８を用いて説明した第１実施形態と同様である。
【００７１】
本実施形態では、評価値計算部１３７は、センサ情報の値が、基準範囲の範囲内であるか否かに応じて、評価値の補正を行う。評価値が、通常の呼出しとは異なる度合いを表し、基準値とのずれが大きいほどその値が大きいものである場合、評価値計算部１３７は、センサ情報の値が基準範囲の範囲内に収まっていれば、例えば評価値に１より小さな係数（補正値）を乗じる。逆に評価値が通常の呼出しである旨を示す度合いを表し、基準値とのずれが大きいほどその値が小さいものである場合、センサ情報の値が基準範囲に収まっていれば、例えば評価値に１より大きな係数を乗じる。
【００７２】
本実施形態において、評価値計算部１３７は、例えば、センサ情報の値が基準範囲の範囲内である場合は評価値の補正値（補正係数）を「０．５」と決定し、基準範囲外である場合は評価値の補正値を「１」と決定する。例えば、センサ情報「湿度」について、抽出されたセンサ情報「２３％」は、その最小値「１３％」から最大値「２０％」で規定される基準範囲から外れている。この場合、評価値計算部１３７は、センサ情報「湿度」の補正値を「１」と決定する。評価値計算部１３７は、例えばセンサ情報「圧力」については、抽出されたセンサ情報「３．３ｋｇ」が基準範囲に含まれることから、補正値を「０．５」と決定する。
【００７３】
本実施形態では、評価値計算部１３７は、センサ情報の値と基準値とのずれに基づいて計算される評価値と、上記補正値との積を、補正後の評価値として計算する。加算部１３８は、補正後の評価値の総和を、総合評価値として計算する。例えば、補正を行わない場合の総合評価値が「３０」であるところ、補正後の総合評価値は「２７」となる。
【００７４】
単純に基準値とのずれの大きさだけで評価値を計算すると、基準値とのずれが大きい場合、センサ情報が正常な範囲の範囲内の値であっても、評価値が大きくなって、判断部１３５において通常の呼出しではないと判断される場合がある。本実施形態では、センサ情報の値が基準範囲の範囲内である場合の評価値が、センサ情報の値が基準範囲の範囲外である場合の評価値よりも相対的に値が小さくなるように、評価値を補正する。このようにすることで、基準値とのずれは大きいものの、センサ情報の値が正常な範囲の範囲内にある場合には、評価値の値が大きくなりすぎることを防ぐことができ、通常の呼出しではないと誤って判断される可能性を低減することが可能である。
【００７５】
続いて、本発明の第３実施形態を説明する。図１２は、本発明の第３実施形態に係る異常通知装置で用いられるナースコール制御機を示す。本実施形態で用いられるナースコール制御機１０３ａは、判定装置１３０ａが評価値テーブルＤＢ１４２を更に有する点で、図４に示す第１実施形態で用いられたナースコール制御機１０３と相違する。その他の点は、第１実施形態又は第２実施形態と同様でよい。なお、図１２では、入力部１４１（図４を参照）は図示を省略している。
【００７６】
評価値テーブルＤＢ１４２は、複数の評価値テーブルを記憶する。より詳細には、評価値テーブルＤＢ１４２は、患者の病気の種類及び症状の少なくとも一方に対応して、複数の評価値テーブルを記憶する。評価値計算部１３７は、評価値テーブルＤＢ１４２から評価値テーブルを取得し、評価値を計算する。評価値計算部１３７は、患者の病気の種類及び症状の少なくとも一方に基づいて、評価値を求める際に使用する評価値テーブルを決定する。患者の病気の種類及び症状に関する情報は、例えば入力装置を用いて、医療従事者が事前に入力しているものとする。
【００７７】
例えば、患者の異常が「体温」に顕著に現れる病気の場合、温度センサ１２４（図３を参照）を用いて計測された体温が高い場合に、緊急度が高いと判断したい。そこで、患者の異常が「体温」に顕著に現れる病気に対応して、センサ情報「体温」について、他のセンサ情報よりも、基準値とのずれの大きさに対して評価値の増加幅が大きい評価値テーブルを用意しておく。例えば図９に示した評価値テーブルにおいて、評価値（得点）の欄の値を２倍に評価値テーブルを用意しておく。評価値計算部１３７は、その患者については、センサ情報「体温」についてその評価値テーブルを使用して評価値を計算する。そのようにすることで、特定のセンサ情報について、総合評価値に与える評価値の影響を大きくすることができる。評価値計算部１３７は、「体温」以外のセンサ情報については、図９に示した評価値テーブルを用いて基準値とのずれに基づいて評価値を計算してもよいし、評価値を０に固定してもよい。
【００７８】
本実施形態では、評価値計算部１３７は、患者の病気の種類及び症状の少なくとも一方に応じて、使用する評価値テーブルを選択する。このようにすることで、患者の症状が特定のセンサ情報に現れる場合に、そのセンサ情報に対する評価値を、その症状に対応付けて用意された評価値テーブルを使用して計算することができる。このため、多種多様な患者の病気の種類や症状がある状況において、患者の病気の種類や症状に応じて患者が異常状態であるか否かの判定が可能である。その他の効果は、第１実施形態又は第２実施形態と同様である。
【００７９】
引き続き、本発明の第４実施形態を説明する。図１３は、本発明の第４実施形態に係る異常通知装置で用いられるナースコール制御機を示す。本実施形態で用いられるナースコール制御機１０３ｂは、判定装置１３０ｂが重みセットＤＢ１４３を更に有する点で、図４に示す第１実施形態で用いられたナースコール制御機１０３と相違する。その他の点は、第１実施形態又は第２実施形態と同様でよい。なお、図１３においても、入力部１４１（図４を参照）は図示を省略している。
【００８０】
本実施形態において、加算部１３８は、評価値計算部１３７で計算された評価値を重み付け加算して総合評価値を計算する。重みセットＤＢ１４３は、重み付け加算で用いられる各センサ情報の評価値に対する重みのセットを記憶する。重みセットＤＢ１４３は、重み付け加算で使用される複数の重みのセットを、患者の病気の種類及び症状の少なくとも一方に対応して記憶している。
【００８１】
加算部１３８は、重みセットＤＢ１４３から重みセットを取得し、取得した重みセットに従って評価値を重み付け加算する。加算部１３８は、患者の病気の種類及び症状の少なくとも一方に基づいて、重みセットＤＢ１４３から取得する重みセットを決定する。患者の病気の種類及び症状に関する情報は、例えば入力装置を用いて、医療従事者が事前に入力しているものとする。
【００８２】
例えば、患者の異常が「最大振幅」に顕著に現れる病気の場合、振動センサ１２３（図３を参照）を用いて計測された振動の最大振幅が大きい場合に、緊急度が高いと判断したい。そこで、患者の異常が「最大振幅」に顕著に現れる病気に対応して、「最大振幅」に対する重みが、他のセンサ情報に対する重みよりも相対的に大きい重みセットを用意しておく。加算部１３８は、その患者については、そのような重みセットを用いて評価値を重み付け加算する。そのようにすることで、特定のセンサ情報について、総合評価値に与える評価値の影響を大きくすることができる。評価値計算部１３７は、「最大振幅」以外のセンサ情報については、重みを０にしてもよい。
【００８３】
本実施形態では、加算部１３８は、患者の病気の種類及び症状の少なくとも一方に応じて、重み付け加算で使用する重みセットを選択する。このようにすることで、患者の症状が特定のセンサ情報に現れる場合に、総合評価値において、そのセンサ情報の評価値の影響を大きくすることができる。このため、多種多様な患者の病気の種類や症状がある状況において、患者の病気の種類や症状に応じて患者が異常状態であるか否かの判定が可能である。本実施形態と第３実施形態とを組み合わせ、患者の病気の種類及び症状の少なくとも一方に応じて使用する評価値テーブルを選択肢、かつ重みセットを選択することも可能である。その他の効果は、第１実施形態又は第２実施形態と同様である。
【００８４】
なお、上記各実施形態では、基準生成部１３４は、センサ情報ＤＢ１３３に記憶された検出信号の値に基づいて基準値を生成しているが、比較部１３６において用いられる基準値はそのような基準値には限定されない。基準生成部１３４は、例えば、患者の年齢、性別、及び体重などの情報に基づいて、標準的なセンサ情報の値を推定し、推定した値を基準値として用いてもよい。あるいは、比較部１３６は、全ての患者に対して共通の基準値を適用してもよい。基準範囲についても、同様に、必ずしもセンサ情報ＤＢ１３３に記憶された検出信号の値に基づいて生成されている必要はない。また、患者ごとに基準範囲を生成する必要もない。
【００８５】
上記各実施形態では、異常通知装置がナースコールシステムの一部を構成するものとして説明したが、これには限定されない。異常通知装置は、必ずしもナースコールシステムの一部を構成する装置である必要はない。異常通知装置は、例えばナースコールシステムと連携する動作する、ナースコールシステムとは別の装置（システム）として構成されていてもよい。
【００８６】
上記各実施形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記憶媒体（tangible storage medium）を含む。非一時的なコンピュータ可読媒体の例は、例えばフレキシブルディスク、磁気テープ、ハードディスクドライブなどの磁気記録媒体、例えば光磁気ディスクなどの光磁気記録媒体、ＣＤ（compact disc）又はＤＶＤ（digital versatile disk）などの光ディスク媒体、及び、マスクＲＯＭ（read only memory）、ＰＲＯＭ（programmable ROM）、ＥＰＲＯＭ（erasable PROM）、フラッシュＲＯＭ、ＲＡＭ（random access memory）などの半導体メモリを含む。また、プログラムは、様々なタイプの一時的なコンピュータ可読媒体（transitory computer readable medium）を用いてコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００８７】
以上、本発明の実施形態を詳細に説明したが、本発明は、上記した実施形態に限定されるものではなく、本発明の趣旨を逸脱しない範囲で上記実施形態に対して変更や修正を加えたものも、本発明に含まれる。
【符号の説明】
【００８８】
１０：異常通知装置
１１：呼出ボタン
１２：スイッチ
１３、１４：センサ
１５：情報取得部
１６：判断部
１７：通知部
１００：ナースコールシステム
１０１：ナースコール子機
１０２：呼出ボタン
１０３：ナースコール制御機
１０４：構内交換機
１０５：無線通信装置
１０６：構内無線端末
１０７：ナースコール親機
１２１：スイッチ
１２２：圧力センサ
１２３：振動センサ
１２４：温度センサ
１２５：湿度センサ
１３０：判定装置（緊急度判定装置）
１３１：検出信号取得部
１３２：データ更新部
１３３：センサ情報ＤＢ
１３４：基準生成部
１３５：判断部
１３６：比較部
１３７：評価値計算部
１３８：加算部
１３９：判定部
１４０：通知部
１４１：入力部
【図１】
2017164350.tif 000003
【図２】
2017164350.tif 000004
【図３】
2017164350.tif 000005
【図４】
2017164350.tif 000006
【図５】
2017164350.tif 000007
【図６】
2017164350.tif 000008
【図７】
2017164350.tif 000009
【図８】
2017164350.tif 000010
【図９】
2017164350.tif 000011
【図１０】
2017164350.tif 000012
【図１１】
2017164350.tif 000013
【図１２】
2017164350.tif 000014
【図１３】
2017164350.tif 000015